(57)【要約】【課題】メモリの端子表面に接触痕を残さず、電気的な接続を可能とする記録媒体の端子接続装置を提供する。【解決手段】メモリＳＤ２の端子６１ｓ〜６８ｓ表面に短冊状の接続端子４５１Ｓ〜４５８Ｓを配置し、接続端子４５１Ｓ〜４５８Ｓの上から押接部材５２を押しつけることによって、メモリＳＤの端子６１ｓ〜６８ｓに接続端子４５１Ｓ〜４５８Ｓを面接触させる。【選択図】図１
2013242678.tif 000002
【特許請求の範囲】
【請求項１】
表面が平面であって、外表面に複数配列された端子を有する記録媒体を保持する保持部材と、
前記各端子に対向する位置に配置された押接部材と、
前記押接部材と前記各端子との間に配置され、前記各端子と面接触することで、電気的に接続可能な接続端子と、
前記押接部材を、間に接続端子を介在させた状態で前記記録媒体の端子表面方向に押圧させた接続位置と、前記記録媒体から離れた待機位置との間で位置変更可能な切換機構とを有する記録媒体の端子接続装置。
【請求項２】
前記押接部材は、前記記録媒体の各端子位置に対応する位置に凸状の押接部をそれぞれ有する請求項１に記載の端子接続装置。
【請求項３】
前記押接部材は、弾性材料で構成されている請求項１又は２に記載の記録媒体の端子接続装置。
【発明の詳細な説明】
【技術分野】
【０００１】
この発明は、記録媒体の端子接続装置に係り、詳しくは、記録媒体の端子に接触痕を残さない接続装置に関するものである。
【背景技術】
【０００２】
従来、パーソナルコンピュータやその他の電子機器に装填されるメモリには、ハードディスクドライブや、メモリカードなど、容易に着脱できるメモリが存在する。そして、これらのメモリは、前記機器等を出荷する前に、必要なデータが書込まれてから、機器等に組み込まれるものがある。このようなメモリへの書き込みは、同じ商品を大量に生産するために、多数の記録媒体に同時にデータを書き込む装置（特許文献１）によって行われる。
【先行技術文献】
【特許文献】
【０００３】
【特許文献１】特開２００７−４８４１５
【発明の概要】
【発明が解決しようとする課題】
【０００４】
メモリにデータを予め記録するために、上記書き込み装置にメモリを接続すると、書込み装置の端子にメモリの端子を接続させる必要があるが、接続操作の際に、メモリの端子と書込み装置の端子とが摺動接触する。この時、接続端子同士の接触によって、記録媒体の端子に接触痕が残る。
【０００５】
ところで、例えばメモリカードなどの記録媒体には、接続端子が外部に露出して端子表面を視認できるものがある。
【０００６】
このようなメモリを、出荷される製品に添付すると、その端子表面に接触痕があるため、メモリの状態が初期状態ではない、或いは、再利用されたメモリである、との疑義が生じるといった問題があった。
【０００７】
この発明は、メモリの端子表面に接触痕を残さず、電気的な接続を可能とする記録媒体の端子接続装置を提供することを目的とするものである。
【課題を解決するための手段】
【０００８】
以上のような問題を解決する本発明は、以下のような構成を有する。
【０００９】
（１）表面が平面であって、外表面に複数配列された端子を有する記録媒体を保持する保持部材と、
前記各端子に対向する位置に配置された押接部材と、
前記押接部材と前記各端子との間に配置され、前記各端子と面接触することで、電気的に接続可能な接続端子と、
前記押接部材を、間に接続端子を介在させた状態で前記記録媒体の端子表面方向に押圧させた接続位置と、前記記録媒体から離れた待機位置との間で位置変更可能な切換機構とを有する記録媒体の端子接続装置。
【００１０】
（２）前記押接部材は、前記記録媒体の各端子位置に対応する位置に凸状の押接部をそれぞれ有する請求項１に記載の端子接続装置。
【００１１】
（３）前記押接部材は、弾性材料で構成されている請求項１又は２に記載の記録媒体の端子接続装置。
【発明の効果】
【００１２】
請求項１に記載の発明によれば、押接部材が接続端子を記録媒体の端子へ押しつけることによって、接続端子と記録媒体の端子は面接触によって電気的に接続される。また、切換機構によって、接続端子と記録媒体の端子は、接触した状態と離れた状態との間で切り換わり、接触した状態で摺動することはなく、また、面接触することから記録媒体の端子に接触痕は残らない。
【００１３】
請求項２に記載の発明によれば、押接部材に凸状の押接部が設けられているので、各端子への各接続端子の押圧力が確実に伝わり、電気接触がより確実なものとなる。
【００１４】
請求項３に記載の発明によれば、押接部材が弾性材料で構成されているので、接続端子へ付与される押圧力が均一に伝わる。
【図面の簡単な説明】
【００１５】
【図１】本発明の記録媒体の端子接続装置の待機位置状態における部分拡大斜視図である。
【図２】端子保持部の構成を示す斜視図である。
【図３】図１における接続部分の待機位置状態でのＡ-Ａ断面図である。
【図４】図１における接続部分の接続位置状態でのＡ-Ａ断面図である。
【図５】押接部材の他の構成を示す、図１における接続部分の待機位置状態でのＡ-Ａ断面図である。
【図６】押接部材の他の構成を示す、図１における接続部分の接続位置状態でのＡ-Ａ断面図である。
【発明を実施するための形態】
【００１６】
以下、本発明の好適実施形態について詳説する。図１は、本発明の記録媒体の端子接続装置２の待機位置状態における部分拡大斜視図である。記録媒体の端子接続装置２は、記録媒体であるメモリカードＳＤ１〜ＳＤ３を保持する保持部３と、接続端子を保持する端子保持部４と、押接部材を保持する押接部５と、保持部３に対して押接部５を押接させた状態の接続位置と、保持部３から押接部５を離間させた待機位置との間に移動させる切換機構７とを有している。
【００１７】
保持部３は、保持部材３１を備え、保持部材３１には、メモリカードＳＤ１〜ＳＤ３と同形状の凹部よりなるカード収納部３１ａ、３１ｂ、３１ｃが設けられている。このカード収納部３１ａ、３１ｂ、３１ｃには、メモリカードＳＤ１〜ＳＤ３が、嵌め込まれて保持される。メモリカードＳＤ１〜ＳＤ３の外表面には、一端辺に沿って凹部６１〜６８が形成され、各凹部６１〜６８には、端子６１ｓ〜６８ｓが配置されている。
【００１８】
保持部材３１の上方には、押接部材を備えた第１押圧部材５１が設けられ、保持部材３１の下側には、第２押圧部材５０が設けられている。第１押圧部材５１の保持部材３１に対向する面には、カード収納部３１ａ、３１ｂ、３１ｃに対応する位置に、それぞれ押接部材５２Ａ、５２Ｂ、５２Ｃが設けられている。
【００１９】
押接部材５２Ａ、５２Ｂ、５２Ｃは、カード収納部３１ａ、３１ｂ、３１ｃに収納された各メモリカードＳＤ１〜ＳＤ３の端子６１ｓ〜６８ｓの位置に対応する位置に配置されている。
【００２０】
図２に示されているように、保持部材３１と第１押圧部材５１との間には接続端子を備える端子保持部４の支持部材４１が配置されている。支持部材４１には、前記カード収納部３１ａ、３１ｂ、３１ｃに対応する位置に複数の接続端子とフラットケーブル４４Ｂとを接続する接続ユニット４２Ａ〜４２Ｃ（４２Ａ、４２Ｃは図示せず）が配置される。
【００２１】
以下、接続ユニット４２Ａ〜４２Ｃは、同一構成なので、接続ユニット４２Ｂについて説明し、他の接続ユニット４２Ａ、４２Ｃの説明は省略する。接続ユニット４２Ｂは、フレキシブルに湾曲可能なフラットケーブル４４Ｂと、接続端子保持材４３Ｂとを接続するユニットである。接続端子保持材４３Ｂは、フレキシブルに湾曲可能なシート材から構成され、このシート材上に銅などの導電性を有する材料からなる導通部が貼り付けられて構成されている。この導通部の先端は、接続端子保持材４３Ｂから突出して、接続端子４５１Ｓ〜４５８Ｓを構成し、基端は接続ユニット４２Ｂ内にて、フラットケーブルの各導線に接続されている。フラットケーブル４４Ｂの他端は、書込み装置等の書込み回路に接続される。接続端子４５１Ｓ〜４５８Ｓは、それ自体で弾性を有し、所定の範囲内で湾曲可能に構成されている。
【００２２】
各接続端子４５１Ｓ〜４５８Ｓは、カード収納部３１ｂに収納されたメモリカードＳＤ２の各端子６１ｓ〜６８ｓに、それぞれ対応した位置に配置されている。また、各接続端子４５１Ｓ〜４５８Ｓは短冊状に形成されており、幅は、各端子６１ｓ〜６８ｓの幅と同じ程度か又は、それ以下の幅に構成されている。
【００２３】
図３、図４は、図１における接続部分のＡ-Ａ断面図である。図３は、待機位置状態を示し、図４は、接続位置状態を示すものである。メモリカードＳＤ２の凹部６１〜６８の間には、端子６１ｓ〜６８ｓの間に位置して短絡を防止するために、凸部６１２、６２３、６３４、６４５、６５６、６６７、６７８が形成されている。また、押接部材５２Ｂには、各凹部６１〜６８に対向する位置に、押圧突起５２１ｄ〜５２８ｄが設けられている。各押圧突起５２１ｄ〜５２８ｄと、各端子６１ｓ〜６８ｓの間には、それぞれ接続端子４５１Ｓ〜４５８Ｓが位置する。
【００２４】
図４に示されているように、切換機構を接続位置に変更すると、第１押圧部材５１と、第２押圧部材５０との距離を近接させる方向に荷重が加わり、押接部材５２Ｂの押圧突起５２１ｄ〜５２８ｄが端子６１ｓ〜６８ｓへ向けて移動し、間に介在する接続端子４５１Ｓ〜４５８Ｓは、フレキシブルに弾性変形しながら、それぞれ対応する端子６１ｓ〜６８ｓへ移動し、最終的に、接続端子４５１Ｓ〜４５８Ｓは、それぞれ対応する端子６１ｓ〜６８ｓに押しつけられた状態で固定される。この状態では、端子６１ｓ〜６８ｓと接続端子４５１Ｓ〜４５８Ｓは面接触となり、通電可能状態となる。また、接続端子４５１Ｓ〜４５８Ｓは、端子６１ｓ〜６８ｓの表面に対して略直角方向に移動することとなるので、相互に摺動することなく、結果として端子６１ｓ〜６８ｓの表面には、接続端子４５１Ｓ〜４５８Ｓと接触した痕跡は残らない。
【００２５】
図５及び図６は、押接部材５３Ｂの他の構成例を示す図である。押接部材５３Ｂにおいて、端子６１ｓ〜６８ｓに対向する面には、所定間隔で切込５３１ｇ、５３２ｇ・・・５３ｎｇが形成されており、該切込５３１ｇ、５３２ｇ・・・５３ｎｇの間には、単独で変形し得る押圧片５４１ｐ、５４２ｐ・・・５４（ｎ＋１）ｐが形成されている。
【００２６】
切込５３１ｇ、５３２ｇ・・・５３ｎｇの数は、例えば、少なくとも、凸部６１２、６２３、６３４、６４５、６５６、６６７、６７８に対向する位置に、それぞれ設けられているか、又は、凸部６１２、６２３、６３４、６４５、６５６、６６７、６７８に対向する位置と、端子６１ｓ〜６８ｓに対向する位置に、それぞれ押圧片が位置するように、切込の位置を調整してもよい。
【００２７】
以上のよう構成された押接部材５３Ｂにおいて、図６に示すような接続位置とすると、切込５３１ｇ、５３２ｇ・・・５３ｎｇによって、各押圧片５４１ｐ、５４２ｐ・・・５４（ｎ＋１）ｐが単独で圧縮変形し得る構成となり、凸部６１２、６２３、６３４、６４５、６５６、６６７、６７８に対向する位置の押圧片５４３ｐ、５４６ｐ、５４９ｐ・・・が特に圧縮変形し、他の押圧片が十分に接続端子４５１Ｓ〜４５８Ｓを押圧できる構成となる。
【００２８】
メモリカードは、ＳＤカード、ｍｉｎｉＳＤカード、ｍｉｃｒｏＳＤカード等のフラッシュメモリカードであるが、この他、他の記録媒体であっても、端子が外表面に露出している記録媒体であれば、本発明の接続装置によって接続することは可能である。
【００２９】
なお、接続端子は、短冊状のものに限らず、針状の端子として、鋭利な先端が端子に接触する構成としてもよい。この場合には、針状の接続端子の先端が端子に接触することにより、点状の接触痕が残るが、点であるために接触痕が目立たない。
【符号の説明】
【００３０】
２  記録媒体の端子接続装置
３  保持部
３１  保持部材
４  端子保持部
５  押接部
５３  押接部材
ＳＤ  メモリカード
【図１】
2013242678.tif 000003
【図２】
2013242678.tif 000004
【図３】
2013242678.tif 000005
【図４】
2013242678.tif 000006
【図５】
2013242678.tif 000007
【図６】
2013242678.tif 000008